(57)【要約】【課題】スライドの摺動摺動摩擦抵抗が調節可能なフェーダ装置を低コストで製作できるようにする。【解決手段】弾性変形可能な摺動摩擦体１７が、ガイドバー７に沿ってスライド３と共に移動するようにスライド３に保持される。摺動摩擦体１７は、ガイドバー７が貫通する貫通孔１７ａを有するとともに、ガイドバー７の軸回りに関する回転位置が調節可能である。摺動摩擦体１７の回転位置を調節することで、摺動摩擦体１７とガイドバー７との弾性接触圧が調節されるようになっている。【選択図】図５
2010093089.tif 000002
【特許請求の範囲】
【請求項１】
入力信号に対する出力信号のレベルを調節するためのフェーダ装置であって、
人に操作されることでガイドバーに沿って摺動可能なスライドと、
前記スライドの摺動位置に応じて調節された前記レベルで前記出力信号を出力する出力部と、
弾性変形可能な摺動摩擦体と、を備え、
摺動摩擦体は、前記ガイドバーに沿って前記スライドと共に移動するように前記スライドに保持され、
摺動摩擦体は、前記ガイドバーが貫通する貫通孔を有するとともに、前記ガイドバーの軸回りに関する回転位置が調節可能であり、
さらに、摺動摩擦体の前記回転位置を調節することで、摺動摩擦体と前記ガイドバーとの弾性接触圧が調節されるようになっている、ことを特徴とするフェーダ装置。
【請求項２】
前記スライドは、前記ガイドバーの軸方向に摺動摩擦体を挟むことで、摺動摩擦体を保持する１対の保持部を有し、
摺動摩擦体における前記軸方向の寸法が、前記ガイドバーを中心として回る周方向位置に応じて異なっており、これにより、前記回転位置の調節で、摺動摩擦体において前記１対の保持部に挟まれて前記軸方向に弾性収縮される周方向部分が変わることで、摺動摩擦体の弾性変形状態が変化して摺動摩擦体と前記ガイドバーとの弾性接触圧が調節される、ことを特徴とする請求項１に記載のフェーダ装置。
【請求項３】
前記摺動摩擦体は、前記軸方向の両端面の少なくとも一方が前記軸方向と垂直な仮想平面から傾斜している、ことを特徴とする請求項２に記載のフェーダ装置。
【請求項４】
前記スライドの少なくとも一部と前記ガイドバーを内部に収容するケースを備え、
前記ケースには、摺動摩擦体の回転位置を調節するための開口が形成されており、
前記スライドが所定の摺動位置に位置している状態では、摺動摩擦体が、前記開口を通して前記ケースの外部に露出するようになっている、ことを特徴とする請求項１、２または３に記載のフェーダ装置。
【発明の詳細な説明】
【技術分野】
【０００１】
本発明は、入力信号に対する出力信号の信号レベルを調節するためのフェーダ装置に関する。
【背景技術】
【０００２】
フェーダ装置は、人が手動でスライドを直線的に移動させることで、音量、光量等を変化させるものである。例えば、放送、レコーディングやディスクジョキー等において複数チャンネルのオリジナル音をミキシングする際の音量調整や、劇場などでの照明の光量調整を行うために、フェーダ装置が用いられている。フェーダ装置は、例えば下記の特許文献１、２に記載されている。
【０００３】
フェーダ装置において、人が手動でスライドを直線的に移動させることで、入力信号に対する出力信号の信号レベルを調節するための構成を説明する。
【０００４】
図７は、下記の特許文献１に記載されたフェーダ装置の構成図である。図７に示すように、フェーダ装置では、スライド２１の操作部２１ａを人が操作することで、スライド２１がガイドバー２３に沿って直線的に往復動する。ケース２５には、電極体２７と抵抗体２９が互いに平行に取り付けられている。電極体２７と抵抗体２９の両方に接触することで両者を電気的に接続する伝導性ブラシ３１（図８、９を参照）がスライド２１に固定されている。スライド２１の伝導性ブラシ３１が電極体２７と抵抗体２９に接触しながら、スライド２１はガイドバー２３に沿って摺動することができる。
【０００５】
図８は、入力信号に対する出力信号の信号レベルを調節するための構成図である。図８に示すように、制御したい入力信号（電圧）を入力端子に入力し、スライド２１（即ち、伝導性ブラシ３１）を摺動させることにより、入力信号に対する出力信号のレベルを調節する。このように調節された出力信号が、出力部（電極体２７）から出力される。
【０００６】
図９は、入力信号に対する出力信号の信号レベルを調節するための別の構成図である。図９では、抵抗体２９の両端に基準電圧Ｖ０をかけ、スライド２１（即ち、伝導性ブラシ３１）を摺動させることにより変化する電圧Ｖ１を電極体２７からＶＣＡ（Ｖｏｌｔａｇｅ Ｃｏｎｔｒｏｌｌｅｄ Ａｍｐｌｉｆｉｅｒ、または、Ｖｏｌｔａｇｅ Ｃｏｎｔｒｏｌｌｅｄ  Ａｔｔｅｎｕａｔｏｒ）に入力させる。ＶＣＡには、制御したい入力信号（電圧）も入力される。ＶＣＡデバイスは、電圧Ｖ１の変化により、入力信号に対する出力信号のレベルを変化させる。
【特許文献１】特開平９−１７１９１０号公報
【特許文献２】実用新案登録第３１０２１８８号
【発明の開示】
【発明が解決しようとする課題】
【０００７】
人が、スライドを摺動操作する時に感じる摺動摩擦抵抗を、低コストで調節できるようにすることが望まれる。しかし、スライドの摺動摩擦抵抗が一定に設定されている場合には、摺動摩擦抵抗を調節できない。また、スライドの摺動摩擦抵抗を調節する機構を設ける場合には（例えば、特許文献２）、構成がある程度複雑になるため、製作コストが、摺動摩擦抵抗が一定のフェーダ装置よりも高くなってしまう。
【０００８】
そこで、本発明の目的は、スライドの摺動摩擦抵抗が調節可能なフェーダ装置を低コストで製作できるようにすることにある。
【課題を解決するための手段】
【０００９】
上記目的を達成するため、本発明によると、入力信号に対する出力信号のレベルを調節するためのフェーダ装置であって、
人に操作されることでガイドバーに沿って摺動可能なスライドと、
前記スライドの摺動位置に応じて調節された前記レベルで前記出力信号を出力する出力部と、
弾性変形可能な摺動摩擦体と、を備え、
摺動摩擦体は、前記ガイドバーに沿って前記スライドと共に移動するように前記スライドに保持され、
摺動摩擦体は、前記ガイドバーが貫通する貫通孔を有するとともに、前記ガイドバーの軸回りに関する回転位置が調節可能であり、
さらに、摺動摩擦体の前記回転位置を調節することで、摺動摩擦体と前記ガイドバーとの弾性接触圧が調節されるようになっている、ことを特徴とするフェーダ装置が提供される。
【００１０】
上述した本発明のフェーダ装置では、スライドに保持されるとともに前記ガイドバーが貫通する摺動摩擦体を設け、この摺動摩擦体の前記回転位置を調節することで、摺動摩擦体と前記ガイドバーとの弾性接触圧が調節される。これにより、摺動摩擦体とガイドレールとの摺動摩擦が調節される。
よって、人が、スライドを摺動操作する時に感じる摺動摩擦抵抗を調節することができる。
しかも、回転位置の調節でガイドレールとの弾性接触圧が変化する摺動摩擦体を設ければよいので、低コストで、スライド摺動摩擦抵抗の調節機構を実現できる。
【００１１】
本発明の好ましい実施形態によると、前記スライドは、前記ガイドバーの軸方向に摺動摩擦体を挟むことで、摺動摩擦体を保持する１対の保持部を有し、
摺動摩擦体における前記軸方向の寸法が、前記ガイドバーを中心として回る周方向位置に応じて異なっており、これにより、前記回転位置の調節で、摺動摩擦体において前記１対の保持部に挟まれて前記軸方向に弾性収縮される周方向部分が変わることで、摺動摩擦体の弾性変形状態が変化して摺動摩擦体と前記ガイドバーとの弾性接触圧が調節される。
【００１２】
この実施形態では、前記回転位置の調節で、摺動摩擦体において前記１対の保持部に挟まれて前記軸方向に弾性収縮される周方向部分が変わることで、摺動摩擦体の弾性変形状態が変化して摺動摩擦体と前記ガイドバーとの弾性接触圧が調節される。従って、摺動摩擦体とガイドレールとの摺動摩擦が調節される。
【００１３】
また、本発明の好ましい実施形態によると、前記摺動摩擦体は、前記軸方向の両端面の少なくとも一方が前記軸方向と垂直な仮想平面から傾斜している。
【００１４】
このように、前記摺動摩擦体の両端面の少なくとも一方を傾斜面とすることで、摺動摩擦体における前記軸方向の寸法を、前記ガイドバーを中心として回る周方向位置に応じて異なるようにできる。従って、前記摺動摩擦体の製作が非常に簡単となるので、スライド摺動摩擦の調節機構のコストを一層少なくすることができる。
例えば、ゴムや樹脂などで形成された円筒形弾性体の端面を斜めにカットしたものを、摺動摩擦体とすることができる。一方、１対の保持部は、スライドと一体成形できる。従って、摺動摩擦抵抗が調節可能なフェーダ装置の製作コストを、摺動摩擦抵抗が一定に設定されているフェーダ装置とほとんど同じ程度にすることが可能になる。
【００１５】
本発明の好ましい実施形態によると、前記スライドの少なくとも一部と前記ガイドバーを内部に収容するケースを備え、
前記ケースには、摺動摩擦体の回転位置を調節するための開口が形成されており、
前記スライドが所定の摺動位置に位置している状態では、摺動摩擦体が、前記開口を通して前記ケースの外部に露出するようになっている。
【００１６】
この実施形態では、人が、前記ケースの外部から前記開口に先の細い操作体を挿入し、この操作体を、摺動摩擦体に対して、前記ガイドバーの軸回り方向に押しつけることで、摺動摩擦体の前記回転位置を調節できる。従って、フェーダ装置を、音量調節装置や光量調節装置に取り付けた状態のままで、フェーダ装置を分解することなく、摺動摩擦体の前記回転位置を調節できる。
【発明の効果】
【００１７】
上述した本発明よると、スライドの摺動摺動摩擦抵抗が調節可能なフェーダ装置を低コストで製作できる。
【発明を実施するための最良の形態】
【００１８】
本発明を実施するための最良の実施形態を図面に基づいて説明する。なお、各図において共通する部分には同一の符号を付し、重複した説明を省略する。
【００１９】
図１は、本発明の実施形態によるフェーダ装置１０の構成図である。図１において、（Ａ）は、平面図であり、（Ｂ）は、（Ａ）のＢ−Ｂ線断面図であり、（Ｃ）は、（Ｂ）のＣ−Ｃ線断面図であり、（Ｄ）は、（Ｂ）のＤ−Ｄ線断面図であり、（Ｅ）は、（Ｂ）のＥ−Ｅ線断面図である。
【００２０】
本発明の実施形態によるフェーダ装置１０は、入力信号に対する出力信号のレベルを調節するためのものであり、図１に示すように、スライド３および出力部５を備える。
【００２１】
スライド３は、人に操作されることでガイドバー７に沿って摺動可能である。図１の例では、スライド３に固定された操作部３ａが、人に操作される。また、図１の例では、２つのガイドバー７が、互いに平行に配置されるとともに、フェーダ装置１０のケース９に両端が固定支持されている。これら２つのガイドバー７が、それぞれスライド３の２つの貫通孔３ｂを貫通するようになっている。これにより、スライド３が、ガイドバー７に支持されながら摺動可能となっている。この例では、各ガイドバー７は、当該ガイドバー７の軸方向（以下、単に軸方向ともいう）と垂直な断面形状が円形である。なお、符号９ｂは、ケース９に形成されたスリット９ａを示す。
【００２２】
出力部５は、スライド３の摺動位置に応じて調節された前記レベルで前記出力信号を出力する。なお、入力信号に対する出力信号の前記レベルは、入力信号に対する出力信号の減衰量、増幅量、減衰率または増幅率であってよい。レベル調節のための構成は、図８の場合と同様であってよい。即ち、ケース９に、出力部５としての電極体と、抵抗体１１とが互いに平行に取り付けられ、スライド３に、電極体５と抵抗体１１の両方に接触することで両者を電気的に接続する伝導性ブラシ１３を固定する。スライド３の伝導性ブラシ１３が電極体５と抵抗体１１に接触しながら、スライド３がガイドバー７に沿って摺動することができる。従って、図８の原理により、スライド３の摺動位置に応じて入力信号に対する出力信号のレベルが調節される。なお、図８の代わりに、図９の原理を用いてもよく、この場合には、出力部５は、ＶＣＡ（ＶＣＡ（Ｖｏｌｔａｇｅ Ｃｏｎｔｒｏｌｌｅｄ Ａｍｐｌｉｆｉｅｒ、または、Ｖｏｌｔａｇｅ Ｃｏｎｔｒｏｌｌｅｄ  Ａｔｔｅｎｕａｔｏｒ）となる。
【００２３】
本実施形態によると、フェーダ装置１０は、弾性変形可能な摺動摩擦体１７を備える。
摺動摩擦体１７について、図２〜４も参照して説明する。図２は、図１（Ｂ）の部分拡大図である。図３（Ａ）は、図２において摺動摩擦体１７のみを図示しており、図３（Ｂ）は、図３（Ａ）のＢ−Ｂ線矢視図である。図４は、図２のＩＶ−ＩＶ線矢視図である。
【００２４】
摺動摩擦体１７は、ガイドバー７に沿ってスライド３と共に移動するようにスライド３に保持される。また、摺動摩擦体１７には、ガイドバー７が貫通する貫通孔１７ａを有し、摺動摩擦体１７は、ガイドバー７の軸回りに関する回転位置が調節可能である。さらに、摺動摩擦体１７の前記回転位置を調節することで、摺動摩擦体１７とガイドバー７との弾性接触圧が調節されるようになっている。即ち、前記回転位置の調節により摺動摩擦体１７とスライド３との弾性接触圧が変化し、この弾性接触圧が変化することで、摺動摩擦体１７の弾性変形状態が変化し、これにより、貫通孔１７ａを区画する摺動摩擦体１７の内面１７ｂとガイドバー７との弾性接触圧も調節されるようになっている。
【００２５】
摺動摩擦体１７に関する構成を、より詳しく説明する。
【００２６】
スライド３は、図２、４のように、ガイドバー７の軸方向に摺動摩擦体１７を挟むことで、摺動摩擦体１７を保持する１対の保持部３ｃ，３ｄを有する。
摺動摩擦体１７における前記軸方向の寸法は、ガイドバー７を中心として回る周方向（以下、単に周方向ともいう）位置に応じて異なっている。この形状で、前記回転位置の調節で、摺動摩擦体１７において１対の保持部３ｃ，３ｄに挟まれて軸方向に弾性収縮される周方向部分が変わることで、１対の保持部３ｃ，３ｄにより摺動摩擦体１７が軸方向に弾性収縮される量が変化して、摺動摩擦体１７の弾性変形状態が変化する。これに関して、図２を参照すると、この例では、摺動摩擦体１７は、周方向における全周のうち１部分のみが、１対の保持部３ｃ，３ｄに挟持されることで、当該１部分が前記軸方向に弾性収縮されるようになっている。この弾性収縮をさせるために、本実施形態では、この摺動摩擦体１７は、周方向における全周もしくは全周のうち所定の周方向範囲において、弾性変形していない状態で、前記軸方向の寸法が１対の保持部３ｃ，３ｄの軸方向間隔よりも大きくなっている。
【００２７】
好ましくは、摺動摩擦体１７は、図３（Ｂ）のようにガイドバー７の軸方向から見た形状が環状であり、図３（Ａ）のように、前記軸方向の両端面１７ｃ，１７ｄの少なくとも一方（この例では、両方）が前記軸方向と垂直な仮想平面から傾斜している。
なお、図３では、簡単のため、摺動摩擦体１７を、弾性収縮されていない状態で示している。図３において、前記軸方向の両端面１７ｃ，１７ｄは平面であってよい。また、図３（Ａ）の例では、一方の端面１７ｃにおいて傾斜のため最も他端面１７ｄ側に寄っている位置と、他方の端面１７ｄにおいて傾斜のため最も一方の端面１７ｃ側によっている位置とが、周方向位置に関して同じになっている。
【００２８】
摺動摩擦体１７の回転位置に応じた摺動摩擦抵抗の調節を、図２、５に基づいて説明する。図５は、図２の状態から摺動摩擦体１７を、ガイドバー７の軸回りに１８０度だけ回転させた状態を示す。図２の状態では、１対の保持部３ｃ，３ｄに挟まれることによる摺動摩擦体１７の軸方向弾性収縮量が最も小さくなっている。一方、図５の状態では、１対の保持部３ｃ，３ｄに挟まれることによる摺動摩擦体１７の軸方向弾性収縮量が最も大きくなっている。従って、図５の状態では、摺動摩擦体１７の内面１７ｂとガイドバー７との弾性接触圧が最も大きくなり、スライド３の摺動摩擦抵抗も最も大きくなる。本実施形態では、摺動摩擦体１７が１対の保持部３ｃ，３ｄにより軸方向に弾性収縮されると、摺動摩擦体１７の内面１７ｂがガイドバー７へ押し付けられるように変位し、この押付力（即ち、弾性接触圧）は、前記軸方向弾性収縮量に応じて変化する。なお、摺動摩擦体１７の内面１７ｂは、ガイドバー７が貫通する摺動摩擦体１７の貫通孔１７ａを区画する面である。
また、図２と図５の中間の状態では、摺動摩擦体１７の回転位置が、図２の状態に近いほどスライド３の摺動摩擦抵抗が小さくなり、図５の状態に近いほどスライド３の摺動摩擦抵抗が大きくなる。従って、摺動摩擦体１７の回転位置の調節により、スライド３の摺動摩擦抵抗を任意に調節できる。
図２の状態で、摺動摩擦体１７は、１対の保持部３ｃ，３ｄにより、弾性収縮されていても、されていなくてもよい。図２の状態で、摺動摩擦体１７が１対の保持部３ｃ，３ｄにより弾性収縮されていない場合、摺動摩擦体１７の回転位置が、図２と図５との間の所定の中間状態から図５の状態の間にあるときに、摺動摩擦体１７が１対の保持部３ｃ，３ｄにより弾性収縮されるようにしてよい。
【００２９】
摺動摩擦体１７の回転位置の調節方法について説明する。
図１（Ａ）に示すように、スライド３の少なくとも１部とガイドバー７を内部に収容するケース９には、摺動摩擦体１７の回転位置を調節するための開口９ｂが形成されている。スライド３が所定の摺動位置に位置している状態では、摺動摩擦体１７が、開口９ｂを通してケース９の外部に露出するようになっている。図６は、図１（Ａ）における開口９ｂ付近の拡大図であるが、スライド３が所定の摺動位置に位置している状態を示す。この開口９ｂを通して、ケース９外部から先の細い操作体（例えば、ボールペンの先端）で、摺動摩擦体１７を周方向に押してその回転位置を調節できる。
【００３０】
なお、摺動摩擦体１７は、好ましくは、ゴムまたは樹脂（例えばテフロン（登録商標））で形成する。摺動摩擦体１７の回転位置の調節後は、摺動摩擦体１７には周方向に力が作用せず、かつ、ゴムまたは樹脂で形成された摺動摩擦体１７と保持部３ｃ，３ｄとの間における周方向静止摩擦力は比較的大きい。これにより、スライド３が摺動しても、摺動摩擦体１７の回転位置が一定に維持される。
【００３１】
上述した本発明の実施形態によるフェーダ装置１０では、以下の作用効果（１）〜（６）が得られる。
【００３２】
（１）ガイドバー７の軸回りに関する摺動摩擦体１７の前記回転位置を調節することにより、摺動摩擦体１７とスライド３との弾性接触圧が変化することで、摺動摩擦体１７の弾性変形状態が変化して摺動摩擦体１７とガイドバー７との弾性接触圧も調節されるようになっているので、前記回転位置の調節により、スライド３の摺動摩擦抵抗を調節することができる。しかも、回転位置の調節でガイドバー７との弾性接触圧が変化する形状を有する弾性変形可能な摺動摩擦体１７により、摺動摩擦抵抗を調節するので、低コストで、スライド摺動摩擦の調節機構を実現できる。
【００３３】
（２）摺動摩擦体１７の形状具体例として、摺動摩擦体１７における前記軸方向の寸法を、ガイドバー７を中心として回る周方向位置に応じて異なるようにする。これにより、前記回転位置の調節で、摺動摩擦体１７において１対の保持部３ｃ，３ｄに挟まれて前記軸方向に弾性収縮される周方向部分が変わることで、１対の保持部３ｃ，３ｄによる前記弾性変形状態が変化する。その結果、摺動摩擦体１７の内面１７ｂとガイドバー７との弾性接触圧が調節されるので、摺動摩擦体１７とガイドレールとの摺動摩擦を調節できる。
【００３４】
（４）摺動摩擦体１７の両端面１７ｃ，１７ｄの少なくとも一方を傾斜面とすることで、摺動摩擦体１７における前記軸方向の寸法を、ガイドバー７を中心として回る周方向位置に応じて異なるようにできる。従って、摺動摩擦体１７の製作が非常に簡単となるので、スライド摺動摩擦の調節機構のコストを一層少なくすることができる。例えば、ゴムや樹脂などで形成された円筒形弾性体の端面を斜めにカットしたものを、摺動摩擦体１７とすることができる。一方、１対の保持部３ｃ，３ｄは、スライド３とモールド一体成形できる。従って、摺動摩擦抵抗が調節可能なフェーダ装置１０の製作コストを、摺動摩擦抵抗が一定に設定されているフェーダ装置とほとんど同じ程度にすることが可能になる。
【００３５】
（５）人が、ケース９の外部から開口９ｂに先の細い操作体を挿入し、この操作体を、摺動摩擦体１７に対して、ガイドバー７の軸回り方向に押しつけることで、摺動摩擦体１７の前記回転位置を調節できる。従って、フェーダ装置１０を、音量調節装置や光量調節装置に取り付けた状態のままで、フェーダ装置１０を分解することなく、摺動摩擦体１７の前記回転位置を調節できる。
【００３６】
（６）さらに、上述の実施形態によるフェーダ装置１０の実施品について、スライドを摺動操作してみたところ、非常にスムーズな摺動感触を得ることができた。
【００３７】
本発明は上述した実施の形態に限定されず、本発明の要旨を逸脱しない範囲で種々変更を加え得ることは勿論である。
【００３８】
本発明は、上述の実施形態以外に、人に操作されることでガイドバー７に沿って摺動可能なスライド３と、スライド３の摺動位置に応じて調節された前記レベルで出力信号を出力する出力部５と、を備える様々なフェーダ装置に適用可能である。
【００３９】
また、本発明の摺動弾性体の形状は、図３に示す例に限定されない。即ち、摺動摩擦体１７の内面１７ｂとガイドバー７との間に遊び（若干の隙間）を残すように、摺動摩擦体１７の貫通孔１７ａにガイドバー７が貫通しており、摺動摩擦体１７における前記軸方向の寸法が、ガイドバー７を中心として回る周方向位置に応じて異なっていれば、前記回転位置の調節で、摺動摩擦体１７において１対の保持部３ｃ，３ｄに挟まれて前記軸方向に弾性収縮される周方向部分が変化して、１対の保持部３ｃ，３ｄにより摺動摩擦体１７が軸方向に弾性収縮される量が変化し、これにより、摺動摩擦体１７とガイドバー７の弾性接触圧が変化する。従って、本発明の摺動弾性体の形状は、図３に示す例に限定されず、摺動摩擦体１７における前記軸方向の寸法が、ガイドバー７を中心として回る周方向位置に応じて異なる他の形状であってもよい。
【図面の簡単な説明】
【００４０】
【図１】本発明の実施形態によるフェーダ装置の構成図である。
【図２】図２は、図１（Ｂ）の部分拡大図である。
【図３】（Ａ）は、図２において摺動摩擦体のみを図示しており、（Ｂ）は、（Ａ）のＢ−Ｂ線矢視図である。
【図４】図２のＩＶ−ＩＶ線矢視図である。
【図５】図２の状態から摺動摩擦体を、ガイドバーの軸回りに１８０度だけ回転させた状態を示す。
【図６】図６は、図１（Ａ）におけるケース開口付近の拡大図であるが、この開口に摺動摩擦体が位置している状態を示す。
【図７】特許文献１に記載されたフェーダ装置の構成図である。
【図８】入力信号に対する出力信号の信号レベルを調節するための構成図である。
【図９】入力信号に対する出力信号の信号レベルを調節するための別の構成図である
【符号の説明】
【００４１】
３  スライド、３ａ  操作部、３ｂ  貫通孔、３ｃ，３ｄ  保持部、５  出力部（電極体）、７  ガイドバー、９  ケース、９ａ  ケースのスリット，９ｂ  ケースの開口、１０  フェーダ装置、１１  抵抗体、１３  伝導性ブラシ、１７  摺動摩擦体、１７ａ  摺動摩擦体の貫通孔、１７ｂ  摺動摩擦体の内面、１７ｃ，１７ｄ  摺動摩擦体の端面、
【図１】
2010093089.tif 000003
【図２】
2010093089.tif 000004
【図３】
2010093089.tif 000005
【図４】
2010093089.tif 000006
【図５】
2010093089.tif 000007
【図６】
2010093089.tif 000008
【図７】
2010093089.tif 000009
【図８】
2010093089.tif 000010
【図９】
2010093089.tif 000011